(57)【要約】【課題】ユーザの意図しない起動命令の入力によってカメラが動作することを防ぎ、電子カメラの不用意な電力消費を低減する電子カメラを提供する。【解決手段】第１の状態と、第１の状態より消費電力の少ない第２の状態とを有する電子カメラであって、第１の状態である場合には定められた情報を表示し、第２の状態である場合には情報を表示しない表示部と、第２の状態から第１の状態に移行する際、第１の状態に移行させるか否かの確認情報の入力を求める確認画面を表示部に表示させる表示制御部と、表示制御部が表示部に確認画面を表示させると、確認情報の入力を受付ける入力部と、入力部に入力される確認情報に応じて、第１の状態と第２の状態とを切替える状態制御部と、を備えることを特徴とする。【選択図】図４
2010178270.tif 000002
【特許請求の範囲】
【請求項１】
第１の状態と、当該第１の状態より消費電力の少ない第２の状態とを有する電子カメラであって、
前記第２の状態から前記第１の状態に移行する際、前記第１の状態に移行させるか否かの確認情報の入力を求める確認画面を表示部に表示させる表示制御部と、
前記表示制御部が前記表示部に前記確認画面を表示させると、前記確認情報の入力を受付ける入力部と、
前記入力部に入力される前記確認情報に応じて、前記第１の状態と前記第２の状態とを切替える状態制御部と、
を備えることを特徴とする電子カメラ。
【請求項２】
請求項１に記載の電子カメラにおいて、
前記入力部は、前記表示制御部が前記表示部に確認画面を表示させた後、予め定められた時間の間に前記確認情報が入力されない場合、前記確認情報の入力の受付を停止する
ことを特徴とする電子カメラ。
【請求項３】
請求項１または請求項２に記載の電子カメラにおいて、
前記第２の状態では沈胴状態であり、前記第１の状態に切り替わると繰り出し状態となる沈胴式の鏡筒
を備えることを特徴とする電子カメラ。
【請求項４】
請求項１から請求項３までのいずれか１項に記載の電子カメラにおいて、
前記表示部が前記情報を表示する際、第１の電力量を前記表示部に給電して第１の明るさにより前記情報を表示させ、前記表示制御部が前記表示部に前記確認画面を表示させる際には、前記第１の電力量より小さい第２の電力量を前記表示部に給電して前記第１の明るさより暗い第２の明るさにより前記確認画面を表示させる明るさ調整部
を備えることを特徴とする電子カメラ。
【請求項５】
請求項１から請求項４までのいずれか１項に記載の電子カメラにおいて、
外部から入射する光の照度を測定する照度センサーを備え、
前記明るさ調整部は、前記照度センサーが測定した照度に応じて、前記表示部の明るさの強弱を調整する
ことを特徴とする電子カメラ。
【請求項６】
請求項１から請求項４までのいずれか１項に記載の電子カメラにおいて、
外部から入射する光の照度を測定する照度センサーを備え、
前記表示制御部は、前記第２の状態から前記第１の状態に移行する際、前記照度センサーが測定した前記照度が予め定められた第１の閾値より小さい場合は、前記確認画面を表示させない
ことを特徴とする電子カメラ。
【請求項７】
請求項１から請求項４までのいずれか１項に記載の電子カメラにおいて、
外部から入射する光の照度を測定する照度センサーを備え、
前記表示制御部は、前記第２の状態から前記前記第１の状態に移行する際、前記照度センサーが測定した前記照度が予め定められた第２の閾値より大きい場合は、前記確認画面を表示させず、
前記状態制御部は、前記電子カメラを起動状態とする
ことを特徴とする電子カメラ。
【発明の詳細な説明】
【技術分野】
【０００１】
本発明は、被写体像を撮像する電子カメラに関する。
【背景技術】
【０００２】
特許文献１には、一定時間無操作状態が続いた場合に表示部を消灯し、スイッチが操作されている間のみ表示部を点灯することにより、省電力を図りつつ取り扱いに優れた電子カメラが提案されている。
【先行技術文献】
【特許文献】
【０００３】
【特許文献１】特開平１１−１０９４７８号公報
【発明の概要】
【発明が解決しようとする課題】
【０００４】
しかしながら、近年のカメラは小型化されており、容易に鞄や衣服のポケットなどに入れて携帯されることが多い。ここで、カメラがカメラケースなどに収納されずに携帯される場合、鞄やポケットに何らかの力が加わってカメラの電源ボタンが押下されることにより起動命令が入力され、カメラが起動状態となる場合がある。起動状態になると、カメラは自身が備えるディスプレイを点灯させてスルー画や各種情報表示を行うために電力が消費され、ユーザがカメラを使いたい時には電池が減っていたり切れていたりする場合があった。特に、カメラの鏡筒が沈胴式である場合には、カメラが起動して撮影可能状態になる際に鏡筒が沈胴状態となり繰り出しのための電力を消費するとともに、鏡筒が繰り出し状態のままとなってレンズが傷付いたり鏡筒に無理な力が加わって破損の原因となったりする可能性が考えられる。
【０００５】
本発明は、このような状況に鑑みてなされたもので、ユーザが意図しない起動命令の入力によってカメラが動作することを防ぎ、電子カメラの不用意な電力消費を低減することが可能な電子カメラを提供する。
【課題を解決するための手段】
【０００６】
上述した課題を解決するために、本発明は、第１の状態と、第１の状態より消費電力の少ない第２の状態とを有する電子カメラであって、第２の状態から第１の状態に移行する際、第１の状態に移行させるか否かの確認情報の入力を求める確認画面を表示部に表示させる表示制御部と、表示制御部が表示部に確認画面を表示させると、確認情報の入力を受付ける入力部と、入力部に入力される確認情報に応じて、第１の状態と第２の状態とを切替える状態制御部と、を備えることを特徴とする。
【０００７】
また、本発明は、上記に記載の電子カメラにおいて、入力部は、表示制御部が表示部に確認画面を表示させた後、予め定められた時間の間に確認情報が入力されない場合、確認情報の入力の受付を停止することを特徴とする。
【０００８】
また、本発明は、上記に記載の電子カメラにおいて、第２の状態では沈胴状態であり、第１の状態に切り替わると繰り出し状態となる沈胴式の鏡筒を備えることを特徴とする。
【０００９】
また、本発明は、上記に記載の電子カメラにおいて、表示部が情報を表示する際、第１の電力量を表示部に給電して第１の明るさにより情報を表示させ、表示制御部が表示部に確認画面を表示させる際には、第１の電力量より小さい第２の電力量を表示部に給電して第１の明るさより暗い第２の明るさにより確認画面を表示させる明るさ調整部を備えることを特徴とする。
【００１０】
また、本発明は、上記に記載の電子カメラにおいて、外部から入射する光の照度を測定する照度センサーを備え、明るさ調整部は、照度センサーが測定した照度に応じて、表示部の明るさの強弱を調整することを特徴とする。
【００１１】
また、本発明は、上記に記載の電子カメラにおいて、外部から入射する光の照度を測定する照度センサーを備え、表示制御部は、第２の状態から第１の状態に移行する際、照度センサーが測定した照度が予め定められた第１の閾値より小さい場合は、確認画面を表示させないことを特徴とする。
【００１２】
また、本発明は、上記に記載の電子カメラにおいて、外部から入射する光の照度を測定する照度センサーを備え、表示制御部は、第２の状態から第１の状態に移行する際、照度センサーが測定した照度が予め定められた第２の閾値より大きい場合は、確認画面を表示させず、状態制御部は、電子カメラを起動状態とすることを特徴とする。
【発明の効果】
【００１３】
以上説明したように、本発明によれば、ユーザが意図しない起動命令の入力によってカメラが動作することを防ぎ、電子カメラの不用意な電力消費を低減することが可能な電子カメラを提供することができる。
【図面の簡単な説明】
【００１４】
【図１】本発明の一実施形態による電子カメラの外観を示す図である。
【図２】本発明の一実施形態による電子カメラの外観を示す図である。
【図３】本発明の一実施形態による電子カメラの外観を示す図である。
【図４】本発明の一実施形態による電子カメラの構成を示すブロック図である。
【図５】本発明の一実施形態による電子カメラの表示部に表示される確認画面の例を示す図である。
【図６】本発明の一実施形態による電子カメラの動作例を示すフローチャートである。
【図７】本発明の一実施形態による電子カメラの動作例を示すフローチャートである。
【図８】本発明の一実施形態による電子カメラの表示部に表示される確認画面の例を示す図である。
【発明を実施するための形態】
【００１５】
以下、本発明の一実施形態について、図面を参照して説明する。
＜第１の実施形態＞
図１〜図３は、本発明の第１の実施形態による電子カメラ１００の外観を示す図である。電子カメラ１００は、写真として撮影した静止画の撮影画像をデジタルデータとして記憶部に記録し、沈胴式の鏡筒を有するデジタルスチルカメラであり、制御部、演算部、記憶部、入力部、出力部などを備える。ここで、電子カメラ１００は、自身の全体動作を制御するメインＣＰＵの他、表示部の制御や、記憶された画像の再生動作の制御などの機能毎にサブＣＰＵを有する構成であって良い。
【００１６】
図１は、給電されていない停止状態での電子カメラ１００の外観の前面を示す図である。起動入力部（電源スイッチ）１１０は、押下されると電子カメラ１００の状態を切替える命令が入力される。例えば、停止状態で起動入力部１１０が押下されると起動命令が入力され、電子カメラ１００に電力が給電されて撮影可能状態に移行する。レリーズ釦１２１は、電子カメラ１００が撮影可能状態である場合に押下されると撮像命令が入力される。ストロボ１２２は、定められた設定に応じて撮像時に発光する発光装置である。照度センサー窓１３１は、電子カメラ１００の外部から入射される光を取り込んで照度センサーに入射させる窓である。
【００１７】
図２は、起動入力部１１０が押下され、撮影可能状態に移行した電子カメラ１００の外観を示す図である。撮影可能状態では、鏡筒１６０が繰り出して繰り出し状態となる。
図３は、電子カメラ１００の背面を示す図である。表示部１２０は、制御部からの命令に応じてバックライトを点灯し、情報を表示する液晶ディスプレイ（ＬＣＤ、Liquid Crystal Display）である。表示部１２０には、電子カメラ１００が撮影可能状態である場合にはスルー画が表示される。また、表示部１２０には、ＭＥＮＵ釦１２３が押下されることで、十字キー１２５やＯＫ釦１２６などによりＧＵＩ（Graphical User Interface）形式での操作を受付けるメニュー画面が表示される。メニュー画面では、各種モードなどの操作入力を受付ける。再生釦１２４が押下されると、電子カメラ１００が撮像し記憶部に記憶させた撮影画像が読み出され、表示部１２０に表示される。
【００１８】
図４は、本実施形態による電子カメラ１００の構成を示すブロック図である。電子カメラ１００は、起動入力部１１０と、表示部１２０と、照度センサー１３０と、制御部１４０と、起動確認入力部１５０と、鏡筒１６０と、電源部１７０とを備えている。
【００１９】
ここで、電子カメラ１００が有する状態について説明する。電子カメラ１００は、停止状態と起動状態とを有する。停止状態とは、例えば、電子カメラ１００の電源スイッチ１１０がＯＦＦの状態である。起動状態とは、例えば、電子カメラの電源スイッチ１１０がＯＮの状態である。この起動状態には、撮影可能状態、再生状態、省電力状態などの状態がある。撮影可能状態とは、停止状態において起動入力部１１０が押下されると移行する状態であり、鏡筒１６０が繰り出し状態となり、表示部１２０にはスルー画が表示され、レリーズ釦１２１が押下されれば被写体を撮像する状態である。
【００２０】
電子カメラ１００の起動状態のうち、再生状態とは、再生釦１２４が押下されることにより移行する状態であり、記憶部に記憶された画像が読み出されて表示部１２０に表示されている状態である。省電力状態とは、撮影可能状態や再生状態において、一定時間以上操作入力がない場合に、例えば、表示部１２０等の一部の機能を停止させた状態である。ここで、省電力状態ではメインＣＰＵには給電されている状態であり、何らかの操作入力があれば、電子カメラ１００はすぐに撮影可能状態または再生状態に復帰する。すなわち、電子カメラ１００が有する状態のうち、起動状態での消費電力と比べて、停止状態での消費電力の方が小さい。また、再生状態および撮影可能状態での消費電力と比べて、省電力状態での消費電力の方が小さく、省電力状態と比べて、停止状態での消費電力の方が小さい。本実施形態では、これらの状態のうち、停止状態から撮影可能状態へ移行する場合について説明するが、省電力状態から撮影可能状態へ移行する場合についても同様の制御を行うようにして良い。
【００２１】
起動入力部１１０は、電子カメラ１００の状態を起動状態に移行させる起動命令の入力を受付ける電源スイッチである。例えば、電子カメラ１００が停止状態の場合に押下されると、起動入力部１１０は制御部１４０に起動命令を入力する。
表示部１２０は、制御部１４０からの命令に応じて情報を表示するＬＣＤである。表示部１２０は、給電される電力量に応じた明るさ（輝度、光度）でバックライトを点灯させる。また、表示部１２０は、給電される電力量に応じて情報を表示する明るさ（輝度）を変化させる。例えば、表示部１２０は、給電される電力量が大きければ明るさを明るくして表示し、給電される電力量が小さければ電力量が大きい場合に比べて暗く点灯して情報を表示する。
【００２２】
照度センサー１３０は、電子カメラ１００の周囲の照度を測定する素子である。
制御部１４０は、表示制御部１４１と、明るさ調整部１４２と、状態制御部１４３とを備えており、電子カメラ１００の各部の動作を制御する。
表示制御部１４１は、起動入力部１１０に起動命令が入力されると、表示部１２０に、電子カメラ１００を停止状態から撮影可能状態に移行させるか否かの確認情報の入力を求める確認画面を表示部１２０に表示させる。例えば、図５は、表示制御部１４１が表示部１２０に表示させる確認画面の例を示す図である。例えば、表示制御部１４１は、表示部１２０に「ＯＫ釦を押して下さい」との文字列を表示させる。
【００２３】
また、表示制御部１４１は、起動入力部１１０に起動命令が入力された際の外部の照度に応じて、確認画面を表示部１２０に表示させるようにしても良い。例えば、表示制御部１４１は、起動入力部１１０に起動命令が入力されると、照度センサー１３０が測定した照度を取得して、取得した照度と自身の記憶領域に記憶した第１の閾値とを比較する。第１の閾値は、電子カメラ１００を起動する下限の照度を示す値である。すなわち、電子カメラ１００が鞄の中にあり、ユーザの意図によらずに起動入力部１１０が押下されて起動命令が入力された場合は、電子カメラ１００の周囲は暗く、照度センサー１３０が検出する照度の値は小さいと考えられる。そこで、表示制御部１４１は、電子カメラ１００が鞄の中にあると考えられる程度に小さい照度を予め第１の閾値として自身の記憶領域に記憶しておき、照度センサー１３０が取得した照度が第１の閾値より小さい場合には、確認画面を表示させない。これにより、電子カメラ１００は停止状態のままとする。一方、照度センサー１３０が取得した照度が第１の閾値より大きい場合には、表示制御部１４１は、表示部１２０に確認画面を表示させる。
【００２４】
図４に戻り、明るさ調整部１４２は、照度センサー１３０により測定された照度に応じて、表示部１２０に給電する電力量を変化させ、表示部１２０に表示される情報の明るさを制御する。例えば、明るさ調整部１４２は、照度センサーが取得した照度が定められた閾値より大きいと判定すれば表示部１２０に給電する電力量を大きくして表示部１２０を点灯させ、表示する情報の明るさを明るくする。一方、照度センサーが取得した照度が定められた閾値より小さいと判定すれば表示部１２０に給電する電力量を小さくして表示部１２０を点灯させ、表示する情報を暗くする。また、明るさ調整部１４２は、表示制御部１４１が表示部１２０に確認画面を表示させる際には、表示部１２０に小さい電力量を給電し、確認画面を暗く表示させる。すなわち、明るさ調整部１４２は、表示部１２０にスルー画や再生画像が表示される際には、照度センサー１３０により測定された照度に応じた明るさで情報を表示させるが、確認画面が表示される際には、照度に関わらず小さい電力量を給電して情報を表示させる。
【００２５】
状態制御部１４３は、電子カメラ１００の状態を切替える。例えば、状態制御部１４３は、表示制御部１４１が表示部１２０に表示された確認画面に示される通りに、ＯＫ釦１２６が押下された場合、電子カメラ１００を撮影可能状態に移行させる。一方、一定時間内にＯＫ釦１２６が押下されない場合は、電子カメラ１００を撮影可能状態に移行させず、停止状態のままとする。このように、本実施形態による電子カメラ１００は、起動入力部１１０が押下された場合には表示制御部１４１により表示部１２０に確認画面を表示させ、確認画面に表示された操作があった場合には、状態制御部１４３が撮影可能状態に移行させる。一方、操作がなければ起動せず停止状態のままとする。
【００２６】
起動確認入力部１５０は、表示制御部１４１が表示部１２０に確認画面を表示させた後に、電子カメラ１００を起動させるか否かを示す確認情報の入力を受付ける。例えば、起動確認入力部１５０は、電子カメラ１００に設けられたＯＫ釦１２６であり、押下されると、起動状態に移行させることを示す確認情報を制御部１４０に入力する。また、起動確認入力部１５０は、表示制御部１４１が表示部１２０に確認画面を表示させた後、予め定められた時間の間に確認情報が入力されない場合、確認情報の入力の受付を停止する。このように、起動確認入力部１５０は、起動入力部１１０が押下され起動命令が入力された後、一定の時間内に起動確認入力部１５０への確認情報の入力が行われない場合には、確認情報の入力受付を停止する。この場合、起動命令の入力はユーザによる意図的な入力ではなかったと考えられるためである。
【００２７】
鏡筒１６０は、被写体を撮像するためのレンズ１６１を備えた沈胴式の鏡筒である。鏡筒１６０は、電子カメラ１００が停止状態である場合には、図１に示したような沈胴状態であり、電子カメラ１００が停止状態から撮影可能状態に移行した場合には、図２に示したような繰り出し状態となる。ここで、鏡筒１６０は、起動入力部１１０に起動命令が入力された時点では繰り出し動作を行わず、表示制御部１４１が表示する確認画面に応じて確認情報が入力され、撮影可能状態へと移行する場合に繰り出し動作を行う。このように、本実施形態の鏡筒１６０は、ユーザの意図によらずに起動命令が入力された場合には繰り出し動作を行わないようにしたので、繰り出しのために消費する不用意な電力の消費や、鞄の中等で鏡筒１６０が繰り出し状態のまま放置されて傷が付くことなどを防ぐことができる。
電源部１７０は、電子カメラ１００が備える各部に給電する電池である。
【００２８】
次に、本発明による電子カメラ１００が、入力される情報に応じて状態を制御する動作例を説明する。
起動入力部１１０は、外部から力が加わって押下されると、制御部１４０に起動命令を入力する（ステップＳ１）。一方、表示制御部１４１は、照度センサー１３０が測定した照度センサー窓１３１から入射される光の照度を取得する（ステップＳ２）。表示制御部１４１は、照度センサー１３０から取得した照度と、予め定められた照度の第１の閾値とを比較する（ステップＳ３）。
【００２９】
ここで、表示制御部１４１が、照度センサー１３０が取得した照度が第１の閾値以下であると判定すると（ステップＳ３：ＹＥＳ）、制御部１４０は、電子カメラ１００を起動状態とせずに停止状態のままとする（ステップＳ４）。一方、表示制御部１４１が、照度センサー１３０が取得した照度が第１の閾値より大きいと判定すると（ステップＳ３：ＮＯ）、表示制御部１４１は、表示部１２０を点灯させ、「ＯＫ釦を押して下さい」のような文字情報が含まれる確認画面を表示させる（ステップＳ５）。
【００３０】
状態制御部１４３は、起動確認入力部１５０が押下され確認情報が入力されたか否かを監視する（ステップＳ６）。起動確認入力部１５０から制御部１４０への確認情報の入力がなければ（ステップＳ６：ＮＯ）、状態制御部１４３は、ステップＳ５で表示制御部１４１が表示部１２０に確認画面を表示させてからの経過時間を計測する（ステップＳ７）。状態制御部１４３が、ステップＳ５から５秒が経過したと判定すると、ステップＳ４に進み、電子カメラ１００を起動させず停止状態のままとなる。ステップＳ５から５秒が経過していなければ（ステップＳ７：ＮＯ）、ステップＳ６に戻る。
【００３１】
一方、ステップＳ６で、起動確認入力部１５０から制御部１４０への確認情報の入力があれば（ステップＳ６：ＹＥＳ）、制御部１４０は、鏡筒１６０を駆動させて繰り出し状態とし、また表示部１２０にスルー画を表示させて、電子カメラ１００を撮影可能状態とする（ステップＳ９）。
【００３２】
以上説明したように、本実施形態によれば、電子カメラ１００が鞄の中にある場合で、ユーザが意図しない何らかの力が加わって起動入力部１１０が押下されて起動命令が入力された場合などに、起動状態に移行してスルー画の表示などによる電力が消費されることを防ぐことができる。
【００３３】
＜第２の実施形態＞
次に、本発明の第２の実施形態について説明する。第１の実施形態では、表示制御部１４１は、電子カメラ１００が鞄の中にあると考えられる程度に小さい照度を予め第１の閾値として記憶し、照度センサー１３０から取得する照度が第１の閾値より小さい場合には電子カメラ１００を停止状態のままとするように動作する。これに対し、表示制御部１４１は、電子カメラ１００が鞄の外にあると考えられる程度に充分に大きい照度を第２の閾値として記憶しておき、照度センサー１３０から取得する照度が第２の閾値より大きい場合には、表示部１２０に確認画面を表示させることなく電子カメラ１００を起動状態とする。
【００３４】
図７は、本実施形態による電子カメラ１００の動作例を示す図である。本実施形態では、表示制御部１４１は、予め記憶した第２の閾値と照度センサー１３０から取得する照度とを比較することにより、電子カメラ１００の起動状態を制御する。
第１の実施形態と同様に、起動入力部１１０は、外部から力が加わって押下されると、制御部１４０に起動命令を入力する（ステップＳ１１）。明るさ調整部１４２は、照度センサー１３０が測定した照度センサー窓１３１から入射される光の照度を取得する（ステップＳ１２）。表示制御部１４１は、照度センサー１３０が取得した照度と、予め定められた照度の第２の閾値とを比較する（ステップＳ１３）。
【００３５】
表示制御部１４１が、照度センサー１３０が取得した照度が第２の閾値以上であると判定すると（ステップＳ１３：ＹＥＳ）、ステップＳ１８に進み、制御部１４０は電子カメラ１００を起動状態とする。一方、表示制御部１４１が、照度センサー１３０が取得した照度が予め定められた照度が第２の閾値より小さいと判定すると（ステップＳ１３：ＮＯ）、表示制御部１４１は、表示部１２０を点灯させ、「ＯＫ釦を押して下さい」のような文字情報が含まれる確認画面を表示させる（ステップＳ１４）。
【００３６】
状態制御部１４３は、起動確認入力部１５０が押下され確認情報が入力されたか否かを監視する（ステップＳ１５）。起動確認入力部１５０から制御部１４０への確認情報の入力がなければ（ステップＳ１５：ＮＯ）、状態制御部１４３は、ステップＳ１４で表示制御部１４１が表示部１２０に確認画面を表示させてからの経過時間を計測する（ステップＳ１６）。状態制御部１４３は、例えば、ステップＳ１４から５秒が経過したと判定すると、ステップＳ１９に進み、制御部１４０は、電子カメラ１００を起動させず停止状態のままとする。ステップＳ５から５秒が経過していなければ（ステップＳ１６：ＮＯ）、ステップＳ１５に戻る。
【００３７】
一方、ステップＳ１５で、起動確認入力部１５０から制御部１４０への確認情報の入力があれば（ステップＳ１５：ＹＥＳ）、制御部１４０は、鏡筒１６０を駆動させて繰り出し状態とし、また表示部１２０にスルー画を表示させて、電子カメラ１００を起動させて撮影可能状態とする（ステップＳ１８）。
【００３８】
なお、本実施形態では、起動入力部１１０は電源スイッチであり、電源スイッチが押下されることにより起動命令が入力される例を説明したが、例えば、停止状態で再生釦１２４が押下されることにより入力される起動命令に応じて動作するようにしても良い。また、省電力状態で、なんらかの操作入力がされて動作が復帰し撮影可能状態または再生状態に移行する際に、確認画面を表示させるようにしても良い。
【００３９】
また、本実施形態では、表示制御部１４１は、「ＯＫ釦を押して下さい」との文字情報を含む確認画面を表示部１２０に表示させ、ＯＫ釦１２６が押下されると確認情報が入力されるようにしたが、例えば、表示部１２０がタッチパネルである場合には、図８に示すような確認画面を表示させ、起動確認入力部１５０としてタッチパネルへの入力を適用するようにしても良い。例えば、タッチパネルに「１」と「２」との複数個所の釦を表示させ、「１、２の順に押して下さい」との文字列を表示する。そして、表示した通りに、「１」、「２」の順に押下された場合、起動確認入力部１５０は、撮影可能状態に移行する確認情報が入力されたと判定する。ここで、タッチパネルには指もしくは操作スティック等による情報の入力が可能である。
【００４０】
また、本実施形態で示した制御部１４０による起動状態の制御は、例えばカメラ設定機能によるカメラ起動モードのひとつとして選択されたときのみ動作するようにしても良い。
また、本実施形態では、電子カメラ１００は沈胴式の鏡筒１６０を備える例を説明したが、屈曲式等の非沈胴式のカメラに適用しても良く、例えばバリアの開閉など機械的な動作位置が変わる場合にも有効である。
また、本実施形態では、電子カメラ１００はデジタルスチルカメラであることしたが、動画を撮影可能なデジタルビデオカメラを適用しても良い。
【符号の説明】
【００４１】
１００…電子カメラ、１２０…表示部、１２６…ＯＫ釦、１３０…照度センサー、１４１…表示制御部、１４２…明るさ調整部、１４３…状態制御部、１５０…起動確認入力部、１６０…鏡筒
【図１】
2010178270.tif 000003
【図２】
2010178270.tif 000004
【図３】
2010178270.tif 000005
【図４】
2010178270.tif 000006
【図５】
2010178270.tif 000007
【図６】
2010178270.tif 000008
【図７】
2010178270.tif 000009
【図８】
2010178270.tif 000010